(57)【要約】【課題】意匠性に優れ、汎用の製函機にて製函することができる包装容器を提供する。【解決手段】下面板２、左右の側面板、上面板４、背面板１４および正面板９を備え、正面板９を開放して内部に収容された菓子などを取り出すようにした包装容器１において、上面板４に略接して中板７が配設される。また、係止板１０および正面板９を回動操作して上面板４の正面板側端部を切り裂き目に沿って、左右の側面板の糊代側端部を傾斜切り裂き目に沿ってそれぞれ切り裂いて切り離すことにより、正面板側開口部を開放させることができる。この際、係止板１０に貼着されて切り離された上面板４の上端部に形成された切欠部４ａの端縁が中板７に連設された被係止片１４の先端縁と係止していることから、被係止片１４を弾性変形させて乗り越える。【選択図】図３
0003132421.tif 000002
【実用新案登録請求の範囲】
【請求項１】
下面板、左右の側面板、上面板、背面板および正面板を備え、正面板によって開閉自在な正面板側開口部を通して内部に収容された菓子などを取り出すようにした包装容器において、下面板の側端縁に折り目を介して第１糊代、中板および第２糊代が順に連設される一方、正面板の端縁に折り目を介して係止板が連設され、また、左右の側面板の正面板側端縁に折り目を介して糊代が連設され、さらに、上面板の正面板側端縁部に台形状の切欠部が形成されるとともに、その正面板側端部に係止板の長さに対応して正面板側端と平行に切り裂き目が形成され、また、上面板の切れ裂き目の各終端に連続して左右の側面板に該左右の側面板と各糊代との折り目の外端に向かう傾斜切り裂き目がそれぞれ形成され、さらに、中板の正面板側端縁に、上面板に形成された台形状の切欠部の端縁と係脱自在な被係止片が折り目を介して連設されてなり、第１糊代および第２糊代が左右の側面板にそれぞれ貼着されて上面板に略接して中板が配設され、また、各糊代が正面板に貼着されるとともに、上面板の正面板側端部が中板に支持されて係止板に貼着され、係止板および正面板を回動操作して上面板の正面板側端部を切り裂き目に沿って、左右の側面板の糊代側端部を傾斜切り裂き目に沿ってそれぞれ切り離した際に、係止板に貼着された正面板の正面板側端縁部に形成された台形状の切欠部の端縁が被係止片と係止して、被係止板を弾性変形させて乗り越えることを特徴とする包装容器。
【考案の詳細な説明】
【技術分野】
【０００１】
本考案は、菓子などの包装容器に関するものである。
【背景技術】
【０００２】
従来より、下面板、左右の側面板、上面板、背面板および正面板を備え、内部に菓子などを収容してなる包装容器が知られている。このような包装容器においては、必要に応じて正面板を開放操作し、内部に収容された菓子などを正面板側開口部を通して取り出すようにしている。
【０００３】
このような包装容器においては、正面板に係止板を連設するとともに、係止板に係止片を貼着する一方、上面板に被係止片を連設し、正面板が正面板側開口部を閉鎖する位置にあるとき、係止板に貼着した係止片と上面板に連設した被係止片とが係止されて、正面板の意図しない開き出しを規制するようにしている。すなわち、正面板の開放操作に際しては、係止片と係止状態にある被係止片を係止片を介して強制的に弾性変形させるような力を係止板の引き下げ操作によって発生させた場合に正面板側開口部が開放されるように設定されている（例えば、特許文献１参照）。
【特許文献１】実用新案登録第３１１７０７１号公報（背景技術、図８乃至図１１）
【考案の開示】
【考案が解決しようとする課題】
【０００４】
ところで、前述した包装容器においては、各係止片を直交する２本の折り目に沿って順に折り込んで左右の側面板に沿う状態および上面板に沿う状態に変化させる必要があり、直交する２本の折り目を順に折り込むことができるような専用の製函機でのみ対応可能となっていた。また、係止片が左右の側面板および上面板に積層されるとともに、上面板にはさらに係止板が積層されるため、容器の表面に凹凸が発生し、意匠性が低下するという欠点があった。
【０００５】
本考案は、このような問題点に鑑みてなされたもので、意匠性に優れ、汎用の製函機にて製函することができる包装容器を提供するものである。
【課題を解決するための手段】
【０００６】
本考案は、下面板、左右の側面板、上面板、背面板および正面板を備え、正面板によって開閉自在な正面板側開口部を通して内部に収容された菓子などを取り出すようにした包装容器において、下面板の側端縁に折り目を介して第１糊代、中板および第２糊代が順に連設される一方、正面板の端縁に折り目を介して係止板が連設され、また、左右の側面板の正面板側端縁に折り目を介して糊代が連設され、さらに、上面板の正面板側端縁部に台形状の切欠部が形成されるとともに、その正面板側端部に係止板の長さに対応して正面板側端と平行に切り裂き目が形成され、また、上面板の切れ裂き目の各終端に連続して左右の側面板に該左右の側面板と各糊代との折り目の外端に向かう傾斜切り裂き目がそれぞれ形成され、さらに、中板の正面板側端縁に、上面板に形成された台形状の切欠部の端縁と係脱自在な被係止片が折り目を介して連設されてなり、第１糊代および第２糊代が左右の側面板にそれぞれ貼着されて上面板に略接して中板が配設され、また、各糊代が正面板に貼着されるとともに、上面板の正面板側端部が中板に支持されて係止板に貼着され、係止板および正面板を回動操作して上面板の正面板側端部を切り裂き目に沿って、左右の側面板の糊代側端部を傾斜切り裂き目に沿ってそれぞれ切り離した際に、係止板に貼着された正面板の正面板側端縁部に形成された台形状の切欠部の端縁が被係止片と係止して、被係止板を弾性変形させて乗り越えることを特徴とするものである。
【０００７】
本考案によれば、コートボールを展開図にしたがって打ち抜いた後、折り目に沿って折り込むこととともに、所定部分を貼着して包装容器が組み立てられる。この際、第１糊代および第２糊代がそれぞれ左側面板および右側面板に貼着されると、第１糊代および第２糊代の高さが略板厚分左右の側面板の高さよりも小さく設定されているため、中板は上面板と略接して配設される。また、上面板の正面板側端部は、中板に支持されることから、上面板の正面板側端部に係止板を確実に貼着することができる。一方、開封して最初に菓子などを取り出すとき、係止板および正面板を回動操作すれば、上面板の正面板側端部が係止板に貼着され、かつ、糊代が正面板に貼着されているため、正面板の正面板側端部が切り裂き目に沿って、左右の側面板の各糊代側端部が傾斜切り裂き目に沿ってそれぞれ切り離される。そして、係止板に貼着された上面板の正面板側端部に形成された切欠部の端縁が被係止片の先端縁に係止し、被係止片を立ち上げつつ弾性変形させて乗り越えることができ、これにより、正面板側開口部を開放させることができる。
【０００８】
この結果、上面板に切欠部を形成してその端縁と被係止片とが係脱するように構成したことにより、従来の包装容器のように、係止片と係脱するための被係止片を直交する２本の折り目に沿って順に折り込む必要がなく、汎用の製函機にて製函することができる。したがって、新たな設備投資（専用の製函機）が不要になるとともに、製函機の稼働率が向上する。また、上面板の正面板側端部および左右の側面板の糊代側端部が切り離されて活用されるため、包装容器の表面は、係止板が積層される以外余分に積層されるものがなく、意匠性の向上を図ることができる。
【考案の効果】
【０００９】
本考案によれば、意匠性に優れ、汎用の製函機にて製函することが可能となる。
【考案を実施するための最良の形態】
【００１０】
以下、本考案の実施の形態を図面に基づいて説明する。
【００１１】
図１乃至図３には、本考案の包装容器１の一実施形態が示されている。
【００１２】
この包装容器１は、菓子などを収容するものであり、コートボールを図４に示す展開図にしたがって打ち抜いた後、折り目に沿って折り込むこととともに、所定部分を貼着して組み立てられる。そして、包装容器１に菓子などを収容して適宜包装した後、出荷される。
【００１３】
この包装容器１は、図４の展開図において、下面板２の左端縁に、左側面板３、上面板４および右側面板５が折り目ａ，ｂ，ｃを介して順に連設されるとともに、下面板２の右端縁に、第１糊代６、中板７および第２糊代８が折り目ｄ，ｅ，ｆを介して順に連設される一方、下面板２の上端縁に正面板９および係止板１０が折り目ｇ，ｈを介して順に連設されるとともに、下面板２の下端縁に糊代１１が折り目ｉを介して連設され、また、左側面板３および右側面板５の各上端縁にそれぞれ糊代１２が折り目ｊを介して連設されるとともに、左側面板３および右側面板５の各下端縁にそれぞれフラップ１３が折り目ｋを介して連設され、さらに、中板７の上端縁に被係止片１４が折り目ｍを介して連設される一方、上面板４の下端縁に背面板１５が折り目ｎを介して連設されて構成されている。
【００１４】
そして、上面板４の上端縁部には、前述した被係止片１４に対応して台形状の切欠部４ａが形成されている。すなわち、台形状の切欠部４ａの深さ（上面板４の上端縁および切欠部４ａの下端縁間の距離）は、被係止片１４の高さ（折り目ｍおよび被係止片１４の上端縁間の距離）に略一致している。また、上面板４の上端部には、係止板１０の高さ（折り目ｈと係止板１０の上端縁間の距離）に対応して上面板４の上端縁と平行に切り裂き目ｐが形成されている。すなわち、上面板４の上端縁と切り裂き目ｐとの間隔は、係止板１０の高さよりもわずかに小さく設定されている。また、左側面板３の上端部および右側面板５の上端部にも、上面板４に形成された切り裂き目ｐの各終端に連続する傾斜切り裂き目ｑが形成されている。具体的には、左側面板３の上端部には、該左側面板３と糊代１２との折り目ｊおよび左側面板３と下面板２との折り目ａの交点である折り目ｊの外端と、切り裂き目ｐの右終端を結んで傾斜切り裂き目ｑが形成され、右側面板５の上端部には、該右側面板５と糊代１２との折り目ｊの外端と、切り裂き目ｐの左終端を結んで傾斜切り裂き目ｑが形成されている。
【００１５】
ここで、第１糊代６の幅（折り目ｄ，ｅ間の距離）は、第２糊代８の幅（折り目ｆおよび第２糊代８の側端縁間の距離）よりも若干大きく、左右の側面板３，５の幅（折り目ａ，ｂ間の距離）よりも略板厚分小さく設定されている。
【００１６】
次に、このように構成された包装容器１の組み立て手順について説明する。
【００１７】
まず、図４の展開図にしたがってコートボールを打ち抜くとともに、裏面が上面を向くように反転させた後、第２糊代８を中仕切板７に対して折り目ｆに沿って谷折りし、その表面に接着剤を塗布した後（図５参照）、第１糊代６を中板７および第２糊代８とともに下面板２に対して折り目ｄに沿って谷折りし、第２糊代８を左側面板３の裏面に貼着する（図６参照）。次いで、第１糊代６の表面に接着剤を塗布した後、上面板４を右側面板５とともに左側面板３に対して折り目ｂに沿って谷折りすれば、右側面板５の裏面が第１糊代６の表面に貼着される（図７参照）。
【００１８】
この後、左側面板３を下面板２に対して折り目ａに沿って起立させることにより、長手方向の両端が開口された包装容器１が形成される（図８参照）。
【００１９】
次いで、被係止片１４を中板７に対して折り目ｍに沿って谷折りし、その先端縁を上面板４に形成された切欠部４ａの下端縁に略当接させる一方、各糊代１２を折り目ｊに沿ってそれぞれ谷折りした後、糊代１２の表面に接着剤を塗布するとともに、正面板９を下面板２に対して折り目ｇに沿って谷折りし、その裏面を糊代１２に貼着する（図９参照）。その後、上面板４の上端部（切り裂き目ｐよりも上方部分）に接着剤を塗布するとともに、係止板１０を正面板９に対して折り目ｈに沿って谷折りし、その裏面を上面板４の上端部に貼着する。
【００２０】
この場合、上面板４の上端部は、該上面板４に略接して配設された中板７によって支持されていることから、上面板４が撓むことはなく、係止板１０を上面板４の上端部に確実に貼着することができる。
【００２１】
その後、正面板９が下方に位置するように倒立させ、背面板１５側開口部を通して菓子などを供給した後、各フラップ１３を左右の側面板３，５に対して折り目ｋに沿って谷折りするとともに、糊代１１を下面板２に対して折り目ｉに沿って谷折りする。さらに、糊代１１の表面に接着剤を塗布して、背面板１５を上面板４に対して折り目ｎに沿って谷折りすれば、内部に菓子などが収容された包装容器１が形成される。この後、詳細には図示しないが、包装容器１はフィルムで包装されて、出荷される。
【００２２】
一方、店頭にて菓子などを購入した消費者はフィルムを剥離した後、係止板１０を引き下げることにより、係止板１０と一体の正面板９を回動させて、正面板９側開口部を開放させることができ、正面板９側開口部を通して菓子などを取り出すことができる。
【００２３】
すなわち、正面板９を係止板１０とともに引き下げる方向に回動操作すると、係止板１０に貼着された上面板４の上端部が切り裂き目ｐに沿って切り裂かれて上面板４から切り離されるとともに、該切り裂き目ｐに連続して、正面板９に貼着された糊代１２を連設する左右の側面板３，５の上端部が傾斜切り裂き目ｑに沿って切り裂かれて左右の側面板３，５から切り離される。合わせて、係止板１０の裏面に貼着された上面板４の上端部に形成された切欠部４ａの下端縁が被係止片１４の先端縁に係止して、該被係止片１４を立ち上げつつ弾性変形させて乗り越える。このように、係止板１０および該係止板１０に連設された正面板９を回動させることにより、正面板９側開口部を開放させることができる。
【００２４】
菓子などを取り出して後、正面板９側開口部を閉鎖する場合は、正面板９を押し上げることにより、正面板９と一体の係止板１０が、該係止板１０の裏面に貼着された上面板４の上端部が被係止片１４を押し倒して、被係止片１４を乗り越える。このため、被係止片１４の先端縁に係止板１０の裏面に貼着された上面板４の上端部に形成された切欠部４ａの下端縁が係止し、係止板１０の開き出しを規制することができる（図１０参照）。
【００２５】
ところで、このような包装容器１においては、上面板４の上端部に係止板１０が貼着されて上面板４に積層される以外、外面に積層される部材は存在しない。したがって、包装容器１の外観形状に違和感を生じるような突出する部分が可及的に減少し、意匠性を向上させることができる。また、包装容器１を構成する部材は、単一の折り目に沿って折り込むことで足りることから、汎用の製函機によって組み立てることが可能となる。したがって、従来の包装容器のように、係止片を直交する２本の折り目に沿って順に折り込む必要がないことから、専用の製函機を使用する必要がなく、新規の設備投資が不要となる。
【図面の簡単な説明】
【００２６】
【図１】本考案の包装容器の一実施形態を示す斜視図である。
【図２】図１の包装容器の正面板側開口部を開放して示す斜視図である。
【図３】図２の包装容器を一部省略して背面板側から示す斜視図である。
【図４】図１の包装容器の展開図である。
【図５】図１の包装容器の組立工程を示す説明図である。
【図６】図１の包装容器の組立工程を示す説明図である。
【図７】図１の包装容器の組立工程を示す説明図である。
【図８】図１の包装容器の組立工程を示す説明図である。
【図９】図１の包装容器の組立工程を示す説明図である。
【図１０】図１の包装容器の正面板側開口部を閉鎖して模式的に示す長手方向縦断面図である。
【符号の説明】
【００２７】
１  包装容器
２  下面板
３，５  側面板
４  上面板
４ａ  切欠部
６  第１糊代
７  中板
８  第２糊代
９  正面板
１０  係止板
１４  被係止片
１５  背面板
ａ，ｂ，ｃ，ｄ，ｅ，ｆ，ｇ，ｈ，ｉ，ｊ，ｋ，ｍ，ｎ  折り目
ｐ，ｑ  切り裂き目
【図１】
0003132421.tif 000003
【図２】
0003132421.tif 000004
【図３】
0003132421.tif 000005
【図４】
0003132421.tif 000006
【図５】
0003132421.tif 000007
【図６】
0003132421.tif 000008
【図７】
0003132421.tif 000009
【図８】
0003132421.tif 000010
【図９】
0003132421.tif 000011
【図１０】
0003132421.tif 000012